(57)【特許請求の範囲】
【請求項１】
底面部と前記底面部の端部を基端部として立ち上がる側面部とによって形成され、前記側面部の先端部を開口縁部とする開口部が設けられた凹部を有する照明器具と、
発光素子が実装された基板が取り付けられる基板取付面部を有する板状のプレート部と、前記発光素子の前面を覆うカバー前面部と、前記プレート部の端部であるプレート側部を覆うカバー側部とからなり、前記プレート部に取り付けられたカバーとを有し、前記基板取付面部の裏面を前記底面部に対向させて前記凹部に取り付けられた光源ユニットとを備え、
前記カバー側部は、
前記プレート側部に係合されるカバー係合部と、
前記カバー係合部の短手方向における前記プレート側部の端部より外側から、前記開口縁部に向かって突出するカバー突出部と、
前記カバー突出部の前記カバー係合部の側と反対側の端部と、前記短手方向における前記カバー前面部の端部とを繋ぐように前記光源ユニットを前記照明器具に取り付ける方向に沿って形成されたカバー側面部とを有しており、
前記光源ユニットが前記凹部に取り付けられた状態で、
前記カバー突出部の前記カバー係合部の側と反対側の端部は、前記開口縁部より前記カバー前面部の側で、かつ、前記開口部の外側に、前記開口縁部と所定の距離を隔てて配置される照明装置。
【請求項２】
長手方向に延びた底面部と前記底面部の短手方向の端部を基端部として立ち上がる側面部とによって形成され、前記側面部の先端部を開口縁部とする開口部が設けられた凹部を有する照明器具と、
発光素子が実装された基板が取り付けられる基板取付面部を有する前記長手方向に延びた板状のプレート部と、前記発光素子の前面を覆うカバー前面部と、短手方向における前記プレート部の端部であるプレート側部を覆う前記長手方向に延びたカバー側部とからなり、前記プレート部に取り付けられたカバーとを有し、前記基板取付面部の裏面を前記底面部に対向させて前記凹部に取り付けられる光源ユニットと
を備え、
前記カバー側部は、
前記プレート側部に係合されるカバー係合部と、
前記カバー係合部の前記短手方向における前記プレート側部の端部より外側から、前記開口縁部に向かって突出するカバー突出部と、
前記カバー突出部の前記カバー係合部の側と反対側の端部と、前記短手方向における前記カバー前面部の端部とを繋ぐように前記光源ユニットを前記照明器具に取り付ける方向に沿って形成されたカバー側面部とを有しており、
前記光源ユニットが前記凹部に取り付けられた状態で、
前記カバー突出部の前記カバー係合部の側と反対側の端部は、前記開口縁部より前記カバー前面部の側で、かつ、前記開口部の外側に、前記開口縁部と所定の距離を隔てて配置される照明装置。
【請求項３】
前記光源ユニットが前記凹部に取り付けられた状態で、
前記カバー側面部の前記カバー前面部側と反対側の端部と前記開口縁部との間に、スリット状の隙間部が形成される請求項２に記載の照明装置。
【請求項４】
前記所定の距離は空気が通過できる距離であり、前記カバー側部と前記開口縁部との間には前記所定の距離の隙間が設けられた請求項１から請求項３のいずれか１項に記載の照明装置。
【請求項５】
前記底面部は、空気が通過できる貫通孔が形成された請求項１から請求項４のいずれか１項に記載の照明装置。
【請求項６】
前記カバー側部と前記開口縁部との間を通過して前記凹部の内部に流入した空気が前記貫通孔を通過して前記凹部の外部に流出する請求項５に記載の照明装置。
【請求項７】
前記プレート側部は、
前記光源ユニットが前記照明器具に取り付けられた状態で前記底面部に向かって立ち上がる立上部を備え、
前記カバーは、
前記発光素子に対向するカバー前面部であって前記カバー側部と連続するカバー前面部を備え、
前記カバー側部は、
前記立上部を覆って前記立上部と係合するカバー係合部と、前記カバー前面部の短手方向の端部から連続して前記基板取付面部に向かって形成された前記カバー側面部とを備え、
前記カバー側面部は、
前記凹部の短手方向における中央部から離れる向きに突出したカバー突出部を備え、
前記カバー突出部と前記開口縁部との間に前記所定の距離の隙間が形成される請求項６に記載の照明装置。
【請求項８】
前記開口縁部は、
前記凹部の短手方向における中央部から離れる向きに滑らかに湾曲した湾曲部を有し、
前記カバー突出部は、
前記湾曲部に向かって突出する曲面を形成する請求項７に記載の照明装置。
【請求項９】
前記光源ユニットは、
長手方向の端部が前記凹部の長手方向の端部と当接する請求項２から請求項８のいずれか１項に記載の照明装置。
【発明の詳細な説明】
【技術分野】
【０００１】
本発明は、発光素子が実装された長尺形状の光源ユニットと、この光源ユニットを取り付ける照明器具とを有する照明装置に関する。特に、装置内部に空気の流路を構成する照明装置に関する。
【背景技術】
【０００２】
照明装置においては、発光素子から発せられる熱により装置内部の温度が上昇し、周辺電子部品の不良を促進してしまうため、放熱を効率的に行う構成が必要である。
特許文献１には、放熱効率を向上させるため、基板を取り付ける取付部材と器具本体とを面接触させる照明装置が開示されている。
【先行技術文献】
【特許文献】
【０００３】
【特許文献１】特開２０１４−１７９２０９号公報
【発明の概要】
【発明が解決しようとする課題】
【０００４】
特許文献１では、光源ユニットにより器具本体の凹部内を密閉してしまうので、凹部内の温度上昇を助長してしまう虞があるという課題がある。
【０００５】
本発明では、装置内部に空気の流路を構成することにより、装置内部の熱循環を促進し、装置内部の放熱を促進すると共に不要な蓄熱を防止することができる照明装置を提供することを目的とする。
【課題を解決するための手段】
【０００６】
本発明に係る照明装置は、発光素子が実装された基板が取り付けられる基板取付面部を有する板状のプレート部と、前記発光素子を覆うとともに、カバー側部を有し、前記カバー側部が前記プレート部の端部であるプレート側部を覆って前記プレート部に取り付けられるカバーとを有する光源ユニットと、底面部と前記底面部の端部を基端部として立ち上がる側面部とによって形成され、前記側面部の先端部を開口縁部とする開口部が設けられた凹部を有する照明器具とを備え、前記光源ユニットは、前記基板取付面部の裏面を前記底面部に対向させるとともに、前記カバー側部を前記開口縁部に対向させて前記凹部に取り付けられ、前記カバー側部と前記開口縁部とは所定の距離を隔てて配置される。
【発明の効果】
【０００７】
本発明に係る照明装置によれば、基板取付面部を有する長手方向に延びた板状のプレート部とカバー側部がプレート部のプレート側部を覆ってプレート部に取り付けられるカバーとを有する光源ユニットと、底面部と側面部と開口縁部により形成された開口部とからなる凹部を有する照明器具とを備え、光源ユニットは、基板取付面部の裏面を底面部に対向させると共に、カバー側部を開口縁部に対向させて凹部に取り付けられ、カバー側部と開口縁部との間に隙間部が形成されるので、隙間部から凹部内に空気を流入させることができ、装置内部の熱循環を促進し、装置内部の放熱を促進すると共に不要な蓄熱を防止することができる。
【図面の簡単な説明】
【０００８】
【図１】実施の形態１に係る照明装置１０の斜視図。
【図２】実施の形態１に係る照明装置１０の分解斜視図。
【図３】実施の形態１に係る光源ユニット１００の斜視図。
【図４】実施の形態１に係る光源ユニット１００の５面図。
【図５】（ａ）は実施の形態１に係る照明装置１０の上面図及び端面図、（ｂ）は（ａ）のＡ−Ａ断面図。
【図６】図５の（ａ）のＢ−Ｂ断面図。
【図７】実施の形態１に係る照明装置１０における装置内部の空気の流路を示す図。
【図８】実施の形態１に係る照明装置１０の６面図。
【図９】実施の形態２に係る照明装置１０の断面図において、吊ボルト４００と電線保持部材１６０との構成を表した模式図。
【図１０】実施の形態２に係る電線保持部材１６０の別例である電線保持部材１６０ａを示す図であり、（ａ）は電線保持部材１６０ａの６面図、（ｂ）及び（ｃ）は電線保持部材１６０ａの取り付け状態を示す図。
【図１１】実施の形態２に係る第１電線クランプ１８０を示す図であり、（ａ）は第１電線クランプ１８０の６面図、（ｂ）は第１電線クランプ１８０の分解斜視図、（ｃ）は電線の取り付け状態を示す図。
【図１２】実施の形態２に係る第２電線クランプ１７０の６面図。
【図１３】実施の形態２に係る電線保持部材１６０のバリエーションを示す図であり、（ａ）は電線保持部材１６０の使用状態を示す断面図、（ｂ）は電線保持部材１６０の別例である電線保持部材１６０ｂの使用状態を示す断面図。
【図１４】実施の形態３に係る照明装置１０Ａの斜視図。
【図１５】図１４に示す照明装置１０ＡのＢ−Ｂ断面図。
【図１６】実施の形態３に係る照明装置１０Ｂの斜視図。
【図１７】図１６に示す照明装置１０ＢのＢ−Ｂ断面図。
【図１８】実施の形態３に係る照明装置１０Ｃの斜視図。
【図１９】図１８に示す照明装置１０ＣのＢ−Ｂ断面図。
【図２０】実施の形態３に係る照明装置１０Ｄの斜視図。
【図２１】図２０に示す照明装置１０ＤのＢ−Ｂ断面図。
【図２２】実施の形態３に係る照明装置１０Ｅの斜視図。
【図２３】図２２に示す照明装置１０ＥのＢ−Ｂ断面図。
【図２４】実施の形態３に係る照明装置１０Ｆの斜視図。
【図２５】図２４に示す照明装置１０ＦのＢ−Ｂ断面図。
【発明を実施するための形態】
【０００９】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。なお、以下の説明では、天井面等のように照明器具を取り付ける取付部の方向を取付方向あるいは上方とし、光源の照射方向を下方として説明する。
【００１０】
実施の形態１．
＊＊＊構成の説明＊＊＊
図１は、本実施の形態に係る照明装置１０の斜視図である。
図２は、本実施の形態に係る照明装置１０の分解斜視図である。
図３は、本実施の形態に係る光源ユニット１００の斜視図である。
図４は、本実施の形態に係る光源ユニット１００の５面図である。
図５は、（ａ）は本実施の形態に係る照明装置１０の上面図及び端面図であり、（ｂ）は（ａ）のＡ−Ａ断面図である。
図６は、図５の（ａ）のＢ−Ｂ断面図である。
図１から図６を用いて、本実施の形態に係る照明装置１０の構成の概要について説明する。
【００１１】
本実施の形態に係る照明装置１０は、天井や壁などの取付部３００に取り付けられる照明装置であり、長手方向に延びた長尺状の照明装置である。この照明装置１０は、長手方向に複数連結して用いられる場合がある。
照明装置１０は、光源ユニット１００と、光源ユニット１００を着脱可能に取り付ける照明器具２００とを有する。
【００１２】
＜光源ユニット１００の説明＞
図３、図４及び図６に示すように、光源ユニット１００は、プレート部１１０、ＬＥＤモジュール１２０、カバー１３０、電源装置１４０、２つの取付具１５０を有する。
プレート部１１０は、長手方向に延びた板状であり、発光素子１２０ａが実装された基板１２０ｂが取り付けられる基板取付面部１１１ａを有する。また、プレート部１１０は、短手方向の端部であるプレート側部１１０ａを有する。また、プレート側部１１０ａは、光源ユニット１００が照明器具２００に取り付けられた状態で、照明器具２００の凹部２１１の底面部２１１ａに向かって立ち上がる立上部１１２を備える。
【００１３】
プレート部１１０は、長尺状の平板である平面部１１１と、この平面部１１１の短手方向の両端が折り曲げられて形成される立上部１１２とを有し、短手方向に切る断面が略コ字形状である。プレート部１１０は、モジュールフレームとも称される。
基板取付面部１１１ａには、ＬＥＤである発光素子１２０ａが実装された基板１２０ｂを備えるＬＥＤモジュール１２０が取り付けられる。また、基板取付面部１１１ａの裏面である装置取付面部１１１ｄには、ＬＥＤモジュール１２０に電力を供給する電源装置１４０と、２つの取付具１５０とが取り付けられる。
【００１４】
なお、光源ユニット１００の光源は、ＬＥＤモジュールに限らず、有機ＥＬあるいはレーザなどの発光素子を用いてもよい。
【００１５】
電源装置１４０は、平面部１１１の長手方向中央より一方側に寄せて取り付けられている。なお、電源装置１４０は、平面部１１１の長手方向中央に取り付けられていても構わない。
２つの取付具１５０は、平面部１１１の長手方向の両端側にそれぞれ取り付けられている。取付具１５０は、後述する照明器具２００が備えるバネ２３０と係合し、光源ユニット１００を照明器具２００に固定する。
さらに、取付具１５０は、光源ユニット１００の形状に応じて設置される数が変更することができる。光源ユニット１００の長手方向の長さが短い場合は、長手方向の一端部のみに取付具１５０を設置し他端部はフックなどで固定する機構としてもよい。また、光源ユニット１００の長手方向の長さが長い場合は、長手方向の両端部と中央部に取付具１５０を設置してもよい。中央部に取付具１５０を設置する場合は、取付具１５０および取付具１５０に対応し照明器具２００に配置され板バネ２３０が、電源装置１４０と干渉しない位置を選択する。
【００１６】
カバー１３０は、基板１２０ｂを覆う。また、カバー１３０は、長手方向に延びたカバー側部１３１を有する。カバー１３０は、カバー側部１３１がプレート部１１０の短手方向の端部であるプレート側部１１０ａを覆ってプレート部１１０に取り付けられる。
図６に示すように、カバー１３０は、プレート部１１０に取り付けられたＬＥＤモジュール１２０を覆うようにプレート部１１０に取り付けられる。立上部１１２にはカバー１３０の取付側の端部が取り付けられ、カバー１３０がプレート部１１０に固定される。
【００１７】
図４に示すように、電源装置１４０には、第１電線５００ｃが接続される。第１電線５００ｃは、先端部にコネクタ５０１が接続されたハーネスである。第１電線５００ｃが後述する端子台２４０に接続されたハーネス５００ｄと接続されることにより、電源装置１４０は端子台２４０から電力を受け取ることができる。
また、電源装置１４０には、電力をＬＥＤモジュール１２０に供給するための第２電線５００ｅが接続される。第２電線５００ｅは、電源装置１４０からプレート部１１０の長手方向端部を介してＬＥＤモジュール１２０まで接続される。
なお、図４に記載されている電線保持部材１６０、第２電線クランプ１７０、第１電線クランプ１８０については後述する。
【００１８】
＜照明器具２００の説明＞
照明器具２００は、器具本体２１０と、器具本体２１０の両端部に取り付けられる端板部２２０とを備える。
器具本体２１０は、コの字状に折り曲げられて形成され、長手方向に延びた凹部２１１を備える。器具本体２１０は、板金が折り曲げられて形成される。
【００１９】
図２及び図６に示すように、凹部２１１は、長手方向に延びた底面部２１１ａと、底面部２１１ａの短手方向の両端部を基端部として立ち上がる側面部２１１ｂとを備える。また、凹部２１１は、側面部２１１ｂの先端部を開口縁部２１１ｂａとする開口部２１１ｃが形成される。
また、器具本体２１０は、開口縁部２１１ｂａから取付側に向かって広がるように形成された傾斜部２１１ｄを備える。
【００２０】
凹部２１１の底面部２１１ａには、端子台２４０と、２つのバネ２３０が設置される。端子台２４０は、電源端子台である。あるいは、端子台２４０は信号端子台でも構わない。バネ２３０は、上述した光源ユニット１００が備える取付具１５０に対応する位置に配置される。また、図６に示すように、光源ユニット１００が照明器具２００に取り付けられた状態では、光源ユニット１００が備える電源装置１４０の少なくとも一部が開口部２１１ｃから凹部２１１に挿入される。
なお、板バネ２３０は、照明器具２００の形状に応じて設置される数が変更することができる。照明器具２００の長手方向の長さが短い場合は、長手方向の一端部のみに板バネ２３０を設置し他端部はフックなどで固定する機構としてもよい。また、照明器具２００の長手方向の長さが長い場合は、長手方向の両端部と中央部に板バネ２３０を設置してもよい。中央部に板バネ２３０を設置する場合は、板バネ２３０および板バネ２３０に対応する光源ユニット１００が備える取付具１５０が、光源ユニット１００に取り付けられる電源装置１４０と干渉しない位置を選択する。
【００２１】
図示はないが、端子台２４０には外部電源に接続される電源電線５００ａが接続される。また、図示はないが、端子台２４０には照明器具２００を長手方向に連結した場合に隣接する照明器具に電力や信号を送る送り電線５００ｂが接続される。よって、凹部２１１内には、電源電線５００ａや送り電線５００ｂ等が配設される。
【００２２】
図５の（ａ）に示すように、底面部２１１ａには、電源電線５００ａを通過させる電源線挿入孔２５０、天井等から吊下げられている吊ボルト４００を挿入させるボルト挿入孔２５１等の各種の貫通孔２５０１が形成されている。ここでは、底面部２１１ａに４つのボルト挿入孔２５１が形成されている。
【００２３】
＜光源ユニット１００の取り付け工程＞
次に、照明器具２００に光源ユニット１００を取り付ける取り付け工程について説明する。照明器具２００の天井等の取付部３００への取り付けは、天井からつり下げられている吊ボルト４００に固定する方法、ネジなどの固定具により直接天井に固定する方法などがある。
【００２４】
照明器具２００を取付部３００に取り付ける際、天井から引き出される電源電線５００ａ、すなわちＦケーブルを、電源線挿入孔２５０を介して照明器具２００の凹部２１１内に引き込み、端子台２４０に接続する。
次に、バネ２３０を光源ユニット１００の取付具１５０と係合させ、光源ユニット１００と照明器具２００との間に作業空間が存在する状態で、端子台２４０のハーネス５００ｄのコネクタ５０２と、電源装置１４０の第１電線５００ｃのコネクタ５０１とを接続する等の作業が行われる。その後、光源ユニット１００を照明器具２００に向かって押し上げ、光源ユニット１００が照明器具２００に取り付けられる。
【００２５】
＜装置内部の空気の流路の構成について＞
図７は、本実施の形態に係る照明装置１０における装置内部の空気の流路を示す図である。
図８は、本実施の形態に係る照明装置１０の６面図である。
図７及び図８を用いて、本実施の形態に係る照明装置１０における装置内部の空気の流路について説明する。
【００２６】
図７は、本実施の形態に係る照明装置１０の断面図において、装置内部の空気の流路の説明に必要な構成を簡易的に示した模式図である。
図７に示すように、光源ユニット１００は、基板取付面部１１１ａの裏面である装置取付面部１１１ｄを凹部２１１の底面部２１１ａに対向させて凹部２１１に取り付けられる。また、光源ユニット１００は、カバー側部１３１を開口縁部２１１ｂａに対向させて凹部２１１に取り付けられる。
このとき、カバー側部１３１と開口縁部２１１ｂａとは所定の距離を隔てて配置される。つまり、カバー側部１３１と開口縁部２１１ｂａとの間に隙間部１９０が形成される。
図８に示すように、隙間部１９０は、照明器具２００とカバー１３０との長手方向の境界部分に形成される。
【００２７】
図７に示すように、カバー１３０は、発光素子１２０ａに対向するカバー前面部１３２を備える。カバー前面部１３２は、短手方向両側のカバー側部１３１の下端部から連続して形成される。
カバー側部１３１は、カバー係合部１３１１とカバー側面部１３１３とを備える。また、カバー側面部１３１３はカバー突出部１３１２を備える。
カバー係合部１３１１は、立上部１１２を覆って立上部１１２と係合する。カバー側面部１３１３は、カバー前面部１３２の短手方向の端部から連続して基板取付面部１１１ａに向かって形成される。カバー突出部１３１２は、カバー係合部１３１１とカバー側面部１３１３との間に形成され、凹部２１１の中央部から離れる向きに突出する。
隙間部１９０は、カバー突出部１３１２と開口縁部２１１ｂａとの間に形成される。
【００２８】
カバー係合部１３１１は、カバー側面部１３１３の上部の内側に立上部１１２に沿って形成される。
カバー側面部１３１３は、カバー係合部１３１１の外側部に上端部が接合され、カバー前面部１３２の短手方向端部に下端部が接合される。
カバー突出部１３１２は、光源ユニット１００が照明器具２００に取り付けられた状態で、カバー側面部１３１３がカバー係合部１３１１の外側部に接合された部分から開口縁部２１１ｂａに向かって突出する。
【００２９】
カバー側部１３１と開口縁部２１１ｂａとを隔てる距離、つまり隙間部１９０は、意匠性を損なうことなく空気などの気体が通過できる寸法であり、数ミリ程度が好ましく、１ｍｍから５ｍｍ程度が好ましい。２ｍｍから４ｍｍが特に好ましい。なお、隙間部１９０は、上記の数値以外でも構わない。
【００３０】
図８に示すように、凹部２１１の底面部２１１ａには、電源線挿入孔２５０、ボルト挿入孔２５１等の、底面部２１１ａを貫通する貫通孔２５０１が形成される。これらの貫通孔２５０１は空気などの気体が通過できる寸法である。
隙間部１９０を通過して凹部２１１の内部に流入した空気は底面部２１１ａに形成された貫通孔２５０１を通過して凹部２１１の外部に流出する。つまり、図７の矢印に示すように、凹部２１１の内部には、空気の流路が形成される。
照明装置１０は、光源ユニット１００が動作すると光を発する（点灯する）発光素子１２０ａと点灯電力を生成する電源装置１４０とからは動作熱が発生し凹部２１１の内部の空気の温度が上昇する。温度が上昇した空気は上方へ移動し底面部２１１ａに形成された貫通孔２５０１を通過して凹部の外部に流出する。そして、温度が低い空気が隙間部１９０を通過して凹部２１１の内部に流入する。このようにして、光源ユニット１００から発生する熱は照明装置の外部に排出される。
なお、凹部２１１の底面部２１１ａには、電源線挿入孔２５０、ボルト挿入孔２５１等の貫通孔２５０１が形成されているが、電源線挿入孔２５０、ボルト挿入孔２５１以外にも、空気の流路を形成する目的で貫通孔を形成してもよい。
【００３１】
図７に示すように、開口縁部２１１ｂａは、凹部２１１の中央部から離れる向きに滑らかに湾曲した湾曲部２１１ｂｂを有する。湾曲部２１１ｂｂは、凹部２１１の側面部２１１ｂが外側に湾曲されて形成されている。
また、カバー突出部１３１２は、湾曲部２１１ｂｂに向かって突き出す曲面を形成する。
このように、隙間部１９０は、短手方向の両側が曲面により構成されているので、空気が通過し易い形状となっている。
【００３２】
また、図１及び図２に示すように、光源ユニット１００の長手方向の端部であるユニット端部２６０は、凹部２１１の長手方向の端部である凹部端部２１１１と当接する。図１及び図８に示すように、照明装置１０において、ユニット端部２６０と凹部端部２１１１とが当接する部分を当接部１９１とする。
当接部１９１ではユニット端部２６０と凹部端部２１１１とが接触している。また、隙間部１９０では、光源ユニット１００の長尺の側部と照明器具２００の開口縁部２１１ｂａとが接触せずに隙間を有している。すなわち、隙間部１９０は、光源ユニット１００の両側の長尺の側部にスリット状に存在する。
【００３３】
＊＊＊本実施の形態に係る効果の説明＊＊＊
【００３４】
本実施の形態に係る照明装置によれば、光源ユニットのカバー側部と照明器具の開口縁部との間に隙間部が形成されるので、器具外の空気を器具本体の凹部内部に取り入れることができる。よって、装置内部の熱循環を促進することが可能となり、直流電源やＬＥＤモジュール等の電子部品の長寿命化を実現すると共に、不要な熱の拡散を防止することができる。
【００３５】
また、本実施の形態に係る照明装置によれば、凹部の底面部に貫通孔が形成され、隙間部から凹部の内部に流入した空気が底面部に形成された貫通孔から流出する空気の流路を構成することができる。よって、器具本体凹部背面の配線穴等の貫通孔を経由して、隙間部から流入した空気を天井裏へ循環させることができるので、より効果的に装置内部の熱循環を促進することができる。
【００３６】
また、本実施の形態に係る照明装置によれば、凹部の中央部から離れる向きに突出したカバー突出部と開口縁部との間に隙間部が形成されるので、照明装置を下方から見た場合でも隙間部がカバー突出部により見え難くなり、意匠性を高くすることができる。また、光源ユニットが照明器具に取り付けられた状態で、カバー突出部の上端部は凹部の内部に位置するので、照明装置の隙間部部分を水平方向から見た場合でも隙間部が存在することが分かり難く、意匠性を高くすることができる。
【００３７】
また、本実施の形態に係る照明装置によれば、開口縁部は凹部の中央部から離れる向きに滑らかに湾曲した湾曲部を有し、カバー突出部は湾曲部に向かって突き出す曲面を形成するので、より空気が流入し易い形状となり、空気の流出入を促進することができる。
【００３８】
また、本実施の形態に係る照明装置によれば、光源ユニットの長手方向端部の当接部において光源ユニットと照明器具とが当たっており、光源ユニットの短手方向の両側の側部のみに隙間部が存在する。したがって、照明装置の光源ユニットに下方から不測の押力が加わった場合でも、光源ユニット自体が凹部内部に陥没し難い丈夫な照明装置を実現することができる。
【００３９】
また、本実施の形態に係る照明装置によれば、隙間部は光源ユニットの両側に長手方向にスリット状に形成されているので、ほこりなどで隙間部全体が詰まることはなく、長期的に空気が流入し易い構造を実現することができる。
【００４０】
実施の形態２．
本実施の形態では、主に、実施の形態１と異なる点について説明する。
本実施の形態は、実施の形態１で説明した光源ユニット１００において、電源装置１４０に接続された第１電線５００ｃ、第２電線５００ｅ等の電線５００を装置取付面部１１１ｄにおいて適切な位置に配設することができる構成について説明する。
本実施の形態において、実施の形態１と同様の構成部については同一の符号を付し、その説明を省略する。
【００４１】
＊＊＊構成の説明＊＊＊
図９は、本実施の形態に係る照明装置１０の断面図において、吊ボルト４００と電線保持部材１６０との構成を表した模式図である。
図１０は、本実施の形態に係る電線保持部材１６０の別例である電線保持部材１６０ａを示す図であり、（ａ）は電線保持部材１６０ａの６面図、（ｂ）及び（ｃ）は電線保持部材１６０ａの取り付け状態を示す図である。
図１１は、本実施の形態に係る第１電線クランプ１８０を示す図であり、（ａ）は第１電線クランプ１８０の６面図、（ｂ）は第１電線クランプ１８０の分解斜視図、（ｃ）は電線の取り付け状態を示す図である。
図１２は、本実施の形態に係る第２電線クランプ１７０の６面図である。
図１３は、本実施の形態に係る電線保持部材１６０のバリエーションを示す図であり、（ａ）は電線保持部材１６０の使用状態を示す断面図、（ｂ）は電線保持部材１６０の別例である電線保持部材１６０ｂの使用状態を示す断面図である。
図９から図１３を用いて、本実施の形態に係る照明装置１０において、電源装置１４０に接続される電線５００を適切な位置で固定する構成について説明する。
【００４２】
図９は、本実施の形態に係る照明装置１０の断面図において、吊ボルト４００と電線保持部材１６０とを説明するために必要な構成を簡易的に示した模式図である。
プレート部１１０は、上述したように、発光素子１２０ａが実装された基板１２０ｂを一面側の基板取付面部１１１ａに取り付けるとともに、発光素子１２０ａに電力を供給する電源装置１４０を基板取付面部１１１ａの裏面である他面側の装置取付面部１１１ｄに取り付ける。
【００４３】
電線保持部材１６０は、電源装置１４０に接続される電線５００を保持する。電線保持部材１６０は、長方形の板状である台座部１６６を備える。電線保持部材１６０は、台座部１６６の長辺方向が装置取付面部１１１ｄの短手方向に沿うように設置される。電線保持部材１６０は、台座部１６６の長辺方向の端部に、電線５００を保持する端部クリップ部１６２を有する。
電線保持部材１６０は、電線５００等の配線材をクリップする配線クリップとも称される。
【００４４】
端部クリップ部１６２は、電線保持部材１６０が装置取付面部１１１ｄに設置された状態で、装置取付面部１１１ｄの短手方向の中央部Ｐ０と装置取付面部１１１ｄの短手方向の端部Ｐ１との中心部Ｐ２より、装置取付面部１１１ｄの短手方向の端部Ｐ１の側に配置される。図９に示すように、端部クリップ部１６２は中心部Ｐ２近傍であり、かつ端部Ｐ１寄りに端部クリップ部１６２の少なくとも一部が位置していればよい。あるいは、端部クリップ部１６２全体が中心部Ｐ２と端部Ｐ１との間に位置していてもよい。また、端部クリップ部１６２は、端部Ｐ１近傍に位置していてもよい。
すなわち、電線保持部材１６０の両側の端部クリップ部１６２は、上記のように配置されることにより、保持する電線５００を装置取付面部１１１ｄの短手方向の中央部Ｐ０近傍から離すことができ、電線５００が吊ボルト４００と干渉することを防ぐことができる。
【００４５】
上述したように、光源ユニット１００は、長手方向に延びた底面部２１１ａを備える凹部２１１を有する照明器具２００に、装置取付面部１１１ｄを底面部２１１ａに対向させて取り付けられる。また、照明器具２００の底面部２１１ａには、吊ボルト４００を凹部２１１に挿入させるボルト挿入孔２５１が形成される。
電線保持部材１６０は、長辺方向の中央部の側に台座部１６６を基端部として立ち上がる支持部１６５と、支持部１６５の先端部に形成され短手方向の端部Ｐ１側に張り出す張出部１６１とを備える。支持部１６５の先端部または張出部１６１が、ボルト挿入孔２５１を介して凹部２１１に挿入される吊ボルト４００の先端部４０１と当接し、凹部２１１内部への吊ボルト４００の侵入を規制する。つまり、支持部１６５の先端部または張出部１６１が、ボルト止め部として機能する。
【００４６】
図９に示すように、天井などの取付部３００に形成されたボルト孔３０１から突出する吊ボルト４００は、ボルト挿入孔２５１を介して凹部２１１の内部に挿入される。図５の（ａ）では、照明器具２００の長手方向の中央部の両側に２つずつのボルト挿入孔２５１が形成されている。なお、ボルト挿入孔２５１の数や位置は、照明器具の大きさや長さによって適宜選択される。
電線保持部材１６０は、図４に示すように、吊ボルト４００が挿入される位置、すなわち光源ユニット１００が照明器具２００に取り付けられた状態で、ボルト挿入孔２５１に対応する位置に配置される。
好ましくは、電線保持部材１６０は、少なくとも支持部１６５の先端部または張出部１６１のどちらかが、ボルト挿入孔２５１と重なる位置に配置される。すなわち、電線保持部材１６０は、照明器具２００に対する光源ユニット１００の取付方向を法線方向とする断面において、支持部１６５の先端部または張出部１６１が、ボルト挿入孔２５１と重なる位置に形成される。
【００４７】
図１０に示すように、張出部１６１は、台座部１６６に対向する板状である。張出部１６１は、板状の上面部で吊ボルト４００の先端部４０１を止める。
電線保持部材１６０は、張出部１６１の板状の下面側と台座部１６６との間に、電源装置１４０に接続される電線５００を保持する中央クリップ部１６４を備える。図１３の（ａ）（ｂ）に示すように、電線保持部材１６０，１６０ｂは、この中央クリップ部１６４にも電線５００を保持することができる。中央クリップ部１６４に保持された電線５００は、吊ボルト４００の先端部４０１を止める張出部１６１の直下に保持されるので、吊ボルト４００が張出部１６１に遮られて電線５００に干渉することを防止できる。
【００４８】
電線保持部材１６０は、台座部１６６における装置取付面部１１１ｄの側の面に突出する取付片１６３を備える。装置取付面部１１１ｄには、取付片１６３と係合する部材取付孔１１１ｃが形成される。取付片１６３が部材取付孔１１１ｃに挿入されることにより、電線保持部材１６０が装置取付面部１１１ｄに固定される。
具体的には、例えば、取付片１６３を装置取付面部１１１ｄと交わる向きに押し込み取付片１６３に設けられた係止爪を装置取付面部１１１ｄに引掛ける方法、取付片１６３を装置取付面部１１１ｄに沿って直線方向または回転方向にスライドさせて装置取付面部１１１ｄに設けられた係止突起（図示省略）で係止する方法などを、用いることができる。
図１０の（ｂ）及び（ｃ）では、取付片１６３が部材取付孔１１１ｃに挿入された後に、台座部１６６が係止突起１６７を乗り越えてＰ１０方向にスライドされることにより、電線保持部材１６０が装置取付面部１１１ｄに固定される。
【００４９】
なお、本実施の形態では、形状の異なる３種類の電線保持部材１６０，１６０ａ，１６０ｂを示しているが、これらの電線保持部材では、端部クリップ部１６２の形状と、装置取付面部１１１ｄに嵌め込まれる取付片１６３の形状とが異なっている。その他の部分の形状は、略同一である。
電線保持部材１６０の端部クリップ部１６２の形状は、内部に電線５００を通過させる部分の形状は略三角形状であり、上部に電線５００を挿入するためのスリット１６２１が形成されている。また、電線保持部材１６０の取付片１６３は、端部クリップ部１６２の外側面から下方に向かって形成される。取付片１６３の下端部には、装置取付面部１１１ｄの部材取付孔１１１ｃを通過した後、取付片１６３が部材取付孔１１１ｃから抜けないように部材取付孔１１１ｃの縁部に引っ掛ける引掛け部１６３１を備える。
電線保持部材１６０ａの端部クリップ部１６２の形状は、内部に電線５００を通過させる部分の形状は略正方形状であり、上面に電線５００を挿入するためのスリット１６２１が形成されている。また、電線保持部材１６０の取付片１６３は、端部クリップ部１６２の下側面から下方に向かってＬ字形状、カギ形状に形成される。電線保持部材１６０の取付片１６３は、このＬ字形状により部材取付孔１１１ｃから抜けないような構造となっている。
電線保持部材１６０ｂの端部クリップ部１６２の形状は、内部に電線５００を通過させる部分の形状は略長方形状であり、電線保持部材１６０ｂの中央側から電線５００を挿入する構成となっている。また、電線保持部材１６０ｂの取付片１６３は、電線保持部材１６０の取付片１６３と同様の構成である。
【００５０】
なお、図１０に示すように、支持部１６５は、台座部１６６の両側の長辺から外側に突き出るように壁状（板状）に形成される。このように支持部１６５を台座部１６６の両側の長辺から突き出すように形成することにより、張出部１６１が補強され、電線５００と吊ボルト４００とが干渉することを確実に防止することができる。なお、ボルト止め部として機能する支持部１６５の先端部および張出部１６１の底面部２１１ａに対向する対向面積は、好ましくは、当接する吊ボルト４００の先端部４０１の面積を基準にして決められる。さらに好ましくは、凹部２１１の内部に挿入される吊ボルト４００ボルトの挿入傾きを考慮して、ボルト挿入孔２５１の開口面積を考慮して決められる。例えば、電線保持部材１６０は、照明器具２００に対する光源ユニット１００の取付方向を法線方向とする断面において、張出部１６１の底面部に対向する対向面積がボルト挿入孔２５１の開口面積以上であってもよい。また、電線保持部材１６０は、照明器具２００に対する光源ユニット１００の取付方向を法線方向とする断面において、張出部１６１の底面部に対向する対向面積が吊ボルト４００の先端部４０１の面積以上であってもよい。また、電線保持部材１６０は、照明器具２００に対する光源ユニット１００の取付方向を法線方向とする断面において、張出部１６１の底面部に対向する対向面積が吊ボルト４００の先端部４０１の面積未満であってもよい。そして、支持部１６５は、壁状の態様の他、例えば棒状、筒状などの態様であってもよい。
【００５１】
図４に示すように、装置取付面部１１１ｄには、電源装置１４０に接続される電線５００のうち吊ボルト４００と干渉しない位置に配設された第１電線５００ｃが存在する。この第１電線５００ｃは、例として電源装置１４０に接続されたハーネスがあり、電線保持部材１６０には届かない長さである。
図４に示すように、電源装置１４０は、装置取付面部１１１ｄにおいて吊ボルト４００と干渉しない位置に配置される。
また、光源ユニット１００は、電源装置１４０に接続される電線のうち吊ボルト４００と干渉しない位置に配設された第１電線５００ｃを、装置取付面部１１１ｄの短手方向の端部で保持する第１電線クランプ１８０を備える。第１電線クランプ１８０は、ハーネスをクランプするハーネスクランプとも称される。
【００５２】
図１１に示すように、第１電線クランプ１８０は、上面が略正方形状の平たい直方体形状である。対向する一対の側面にそれぞれ取付片部１８１を備える。下面には複数の第１電線５００ｃを蛇行クランプさせる電線保持部１８２が形成されている。電線保持部１８２は、下面に起立した複数の起立壁１８３によって形成されている。電源装置１４０に接続される第１電線５００ｃは施工性を考慮した余長を有しており、電線保持部１８２に沿って蛇行させてクランプすることによって、第１電線５００ｃの余長が調整される。取付片部１８１が装置取付面部１１１ｄに形成された電線クランプ取付孔（図示省略）に挿入されることにより、第１電線クランプ１８０が装置取付面部１１１ｄに固定される。図４に示すように、第１電線クランプ１８０は、吊ボルト４００と干渉しない位置であって装置取付面部１１１ｄの短手方向の端部の位置に配置され、第１電線５００ｃをクランプする。
【００５３】
また、図４に示すように、装置取付面部１１１ｄには、電源装置１４０と装置取付面部１１１ｄの裏面の基板取付面部１１１ａに取り付けられたＬＥＤモジュール１２０とを接続する第２電線５００ｅが配設される。この第２電線５００ｅは、装置取付面部１１１ｄの長手方向の端部を介してＬＥＤモジュール１２０に接続される。
光源ユニット１００は、電源装置１４０に接続される電線５００のうち基板取付面部１１１ａに取り付けられた基板１２０ｂに接続される第２電線５００ｅを、装置取付面部１１１ｄの長手方向の端部で保持する第２電線クランプ１７０を備える。
第２電線クランプ１７０は、スリット状の電線保持部１７２が形成されたゴム等の弾性体により形成される。第２電線クランプ１７０は、ハーネス保持ゴムとも称される。なお、第２電線クランプ１７０はゴム等の弾性体以外のものであってもよい。
【００５４】
図１２に示すように、第２電線クランプ１７０は、上面が略長方形状の平たい直方体形状である。対向する一対の長辺面のうちの一方の下面に取付片部１７１を備える。取付片部１７１がプレート部１１０の長手方向の端部に差し込まれることにより、第２電線クランプ１７０が装置取付面部１１１ｄに固定される。
第２電線クランプ１７０には、第２電線５００ｅを挿入するスリット状の電線保持部１７２が形成される。第２電線クランプ１７０は、第２電線５００ｅを電線保持部１７２のスリットに沿って挿入させ、電線保持部１７２の両側の弾性体の弾性力により第２電線５００ｅを保持する。図４に示すように、第２電線クランプ１７０は、装置取付面部１１１ｄの長手方向の端部に配置される。第２電線クランプ１７０は、装置取付面部１１１ｄにおいて短手方向の端部に沿って配設される第２電線５００ｅを、装置取付面部１１１ｄの長手方向の端部において短手方向中央部に誘導する。
【００５５】
＊＊＊本実施の形態に係る効果の説明＊＊＊
本実施の形態に係る照明装置によれば、長方形の平板である台座部の長辺方向が装置取付面部の短手方向に沿って設置され、台座部の長辺方向の端部に電線を保持する端部クリップ部を有する電線保持部材を備えるので、電線を装置取付面部の短手方向の中央部近傍から離すことができる。
【００５６】
本実施の形態に係る照明装置によれば、端部クリップ部は装置取付面部の短手方向の中央部と装置取付面部の短手方向の端部との中心部より、装置取付面部の短手方向の端部の側に配置されるので、電線をより確実に装置取付面部の短手方向の中央部近傍から離すことができ、電線が吊ボルトと干渉することを防ぐことができる。
【００５７】
本実施の形態に係る照明装置によれば、電線保持部材は、支持部の先端部に形成され、吊ボルトの先端部を止める張出部を備えるので、電線が吊ボルトと干渉することをより確実に防ぐことができる。
【００５８】
本実施の形態に係る照明装置によれば、電線保持部材が張出部の下面部と台座部との間に中央クリップ部を備えるので、電線が吊ボルトと干渉することを確実に防ぎつつ、短手方向中央部においても電線を保持することができる。
【００５９】
本実施の形態に係る照明装置によれば、吊ボルトと干渉しない位置に配設された第１電線を装置取付面部の短手方向の端部で保持する第１電線クランプを備えるので、電線保持部材が設置されていない部分の電線を保持し、電線の余長を調整し遊びを少なくすることができる。このため、光源ユニットを照明器具に取り付ける際に余長部分を光源ユニットと照明器具との間に挟みこんでしまうおそれがなくなり施工性を向上させる。また、第１電線５００ｃは電源装置１４０と干渉するおそれもなくなる。さらに、粘着テープなどの保持構成と比較して、組立性、対環境性能および長期信頼性に優れた構成である。
【００６０】
本実施の形態に係る照明装置によれば、基板取付面部に取り付けられた基板に接続される第２電線を装置取付面部の長手方向の端部で保持する第２電線クランプを備えるので、装置取付面部１１１ｄにおいて短手方向の端部に沿って配設される第２電線５００ｅを、装置取付面部１１１ｄの長手方向の端部において短手方向中央部に誘導することができる。よって、第２電線５００ｅを傷めずに、装置取付面部１１１ｄから基板取付面部１１１ａに引き回すことができる。また、電線の余長を調整し遊びを少なくすることができるので、光源ユニットを照明器具に取り付ける際に余長部分を光源ユニットと照明器具との間に挟みこんでしまうおそれがなくなり施工性を向上させる。さらに、粘着テープなどの保持構成と比較して、組立性、対環境性能および長期信頼性に優れた構成である。
【００６１】
以上のように、本実施の形態に係る照明装置によれば、電線保持部材、第１電線クランプ、第２電線クランプを備えているので、電線が吊ボルトと干渉することを防止しつつ、電線を適切な位置に配設することができる。また、電線の遊びを少なくし、電線が照明器具と光源ユニットとの間に挟まったりすることを防ぎ、電線の配線の引き回しをすっきりと整理することができる。
【００６２】
実施の形態３．
本実施の形態では、主に、実施の形態１，２と異なる点について説明する。
本実施の形態は、実施の形態１，２で説明した照明装置１０のバリエーションである照明装置１０Ａ，１０Ｂ，１０Ｃ，１０Ｄ，１０Ｅ，１０Ｆについて説明する。
本実施の形態において、実施の形態１と同様の構成部については同一の符号を付し、その説明を省略する。
【００６３】
本実施の形態に係る照明装置１０Ａ，１０Ｂ，１０Ｃ，１０Ｄ，１０Ｅ，１０Ｆでは、実施の形態１，２で説明した光源ユニット１００と同一の光源ユニット１００を備える。
本実施の形態に係る照明装置１０Ａ，１０Ｂ，１０Ｃ，１０Ｄ，１０Ｅ，１０Ｆにおいて実施の形態１と異なる点は、照明器具２００の形状である。ただし、照明器具２００の凹部２１１の構成は、実施の形態１，２で説明した凹部２１１の構成と同一である。よって、光源ユニット１００と凹部２１１との取付構造は、実施の形態１，２で説明した取付構造と同一であり、実施の形態１，２で説明した構成及び効果は本実施の形態に係る照明装置１０Ａ，１０Ｂ，１０Ｃ，１０Ｄ，１０Ｅ，１０Ｆについても適用することができる。
なお、本実施の形態に係る照明装置１０Ａ，１０Ｂ，１０Ｃ，１０Ｄ，１０Ｅ，１０Ｆにおいて、実施の形態１，２で説明したものと形状は異なるが機能が同一の構成については、実施の形態１，２で用いた符号に添え字Ａ，Ｂ，Ｃ，Ｄ，Ｅ，Ｆを付して説明する。
【００６４】
実施の形態１，２で説明した照明装置１０は、図５の（ａ）に示す器具本体２１０の上面部２１０１を、天井面等の取付部３００に直付けする直付けタイプの照明装置である。図６に示す器具本体２１０の短手方向の幅Ｌは、例えば、１５０ｍｍである。また、照明装置１０の傾斜部２１１ｄは、水平面から角度θ傾斜している。
【００６５】
図１４は、本実施の形態に係る照明装置１０Ａの斜視図である。また、図１５は、図１４に示す照明装置１０ＡのＢ−Ｂ断面図である。
照明装置１０Ａは、直付けタイプである。照明装置１０Ａは、照明器具２００Ａの形状が照明装置１０の照明器具２００と異なる。照明装置１０Ａの短手方向の幅ＬＡは、照明装置１０の短手方向の幅Ｌの１．４〜１．７倍である。照明装置１０Ａの短手方向の幅ＬＡは、例えば、２３０ｍｍである。
傾斜部２１１ｄＡの水平面からの角度θＡは、図６に示す傾斜部２１１ｄの水平面からの角度θよりも小さい。
【００６６】
図１６は、本実施の形態に係る照明装置１０Ｂの斜視図である。また、図１７は、図１６に示す照明装置１０ＢのＢ−Ｂ断面図である。
照明装置１０Ｂは、直付けタイプである。照明装置１０Ｂは、照明器具２００Ｂの形状が照明装置１０の照明器具２００と異なる。また、照明装置１０Ｂは、照明器具２００Ｂが光を反射させる構成を備えていないトラフタイプの照明装置である。
【００６７】
図１８は、本実施の形態に係る照明装置１０Ｃの斜視図である。また、図１９は、図１８に示す照明装置１０ＣのＢ−Ｂ断面図である。
照明装置１０Ｃは、直付けタイプである。照明装置１０Ｃは、照明器具２００Ｃの形状が照明装置１０の照明器具２００と異なる。また、照明装置１０Ｃは、照明器具２００Ｃの傾斜部２１１ｄＣが凹部２１１の開口縁部２１１ｂａから下方に向かって広がるように形成された反射笠タイプの照明装置である。
【００６８】
図２０は、本実施の形態に係る照明装置１０Ｄの斜視図である。また、図２１は、図２０に示す照明装置１０ＤのＢ−Ｂ断面図である。
照明装置１０Ｄは、天井面等の取付部３００に形成された取付孔に埋め込まれて取り付けられる埋込タイプの照明装置である。照明装置１０Ｄは、照明器具２００Ｄの形状が照明装置１０の照明器具２００と異なる。照明装置１０Ｄの短手方向の幅ＬＤは、例えば１５０ｍｍである。
【００６９】
図２２は、本実施の形態に係る照明装置１０Ｅの斜視図である。また、図２３は、図２２に示す照明装置１０ＥのＢ−Ｂ断面図である。
照明装置１０Ｅは、埋込タイプの照明装置である。照明装置１０Ｅは、照明器具２００Ｅの形状が照明装置１０の照明器具２００と異なる。照明装置１０Ｅの短手方向の幅ＬＥは、照明装置１０Ｄの短手方向の幅ＬＤの０．６〜０．７倍である。照明装置１０Ｅの短手方向の幅ＬＥは、例えば、１００ｍｍである。
【００７０】
図２４は、本実施の形態に係る照明装置１０Ｆの斜視図である。また、図２５は、図２４に示す照明装置１０ＦのＢ−Ｂ断面図である。
照明装置１０Ｆは、埋込タイプの照明装置である。照明装置１０Ｆは、照明器具２００Ｆの形状が照明装置１０の照明器具２００と異なる。照明装置１０Ｆは、Ｃチャンネル回避型の照明装置である。照明装置１０Ｆは、埋め込まれる照明器具２００Ｆの高さＨＦが、図２１に示す照明器具２００Ｄの高さＨＤや図２３に示す照明器具２００Ｅの高さＨＥよりも低い。照明装置１０Ｆの短手方向の幅ＬＦは、照明装置１０Ｅの短手方向の幅ＬＥの１．８〜２．２倍である。照明装置１０Ｆの短手方向の幅ＬＦは、例えば、２２０ｍｍである。
【００７１】
上述したように、光源ユニット１００と凹部２１１との取付構造は、実施の形態１，２で説明した取付構造と同一であり、実施の形態１，２で説明した構成及び効果は本実施の形態に係る照明装置１０Ａ，１０Ｂ，１０Ｃ，１０Ｄ，１０Ｅ，１０Ｆについても適用することができる。
【００７２】
以上、本発明の実施の形態１〜３について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの３つの実施の形態を、全体としてあるいは部分的に、どのように組み合わせて実施しても構わない。
なお、上記の実施の形態は、本質的に好ましい例示であって、本発明、その適用物や用途の範囲を制限することを意図するものではなく、必要に応じて種々の変更が可能である。
なお、上述した光源ユニット、照明器具、および照明装置は、いずれも長手形状の例であるが、これ限らず、正方形、円形、多角形など他の形状であっても本願発明が適用できる。
【符号の説明】
【００７３】
１０，１０Ａ，１０Ｂ，１０Ｃ，１０Ｄ，１０Ｅ，１０Ｆ  照明装置、１００  光源ユニット、１１０  プレート部、１１０ａ  プレート側部、１１１  平面部、１１１ａ  基板取付面部、１１１ａｂ  露出面部、１１１ｂ  へこみ部、１１１ｃ  部材取付孔、１１１ｄ  装置取付面部、１１２  立上部、１２２  プレート側部、１２０  ＬＥＤモジュール、１２０ａ  発光素子、１２０ｂ  基板、１２１  接着面部、１２１ａ  窪み部、１２３１  銅、１２３２  樹脂コート、１３０  カバー、１３１  カバー側部、１３１１  カバー係合部、１３１２  カバー突出部、１３１３  カバー側面部、１３２  カバー前面部、１４０  電源装置、１４１  スペーサ、１４２  ハーネス、１４２１  コネクタ、１５０  取付具、１５１  取付具上端部、１５２  バネ挿入孔、１５３  プレート取付部、１５４  プレート取付台、１６０，１６０ａ，１６０ｂ  電線保持部材、１６１  張出部、１６２  端部クリップ部、１６２１  スリット、１６３  取付片、１６３１  引掛け部、１６４  中央クリップ部、１６５  支持部、１６６  台座部、１６７  係止突起、１７０  第２電線クランプ、１７１  取付片部、１７２  電線保持部、１８０  第１電線クランプ、１８１  取付片部、１８２  電線保持部、１８３  起立壁、１９０  隙間部、１９１  当接部、２００，２００Ａ，２００Ｂ，２００Ｃ，２００Ｄ，２００Ｅ，２００Ｆ  照明器具、２１０  器具本体、２１０１  上面部、２１１  凹部、２１１１  凹部端部、２１１ａ  底面部、２１１ｂ  側面部、２１１ｂａ  開口縁部、２１１ｂｂ  湾曲部、２１１ｃ  開口部、２１１ｄ，２１１ｄＡ，２１１ｄＢ  傾斜部、２２０  端板部、２２１  電線挿通孔、２３０  バネ、２４０  端子台、２５０  電源線挿入孔、２５１  ボルト挿入孔、２５０１  貫通孔、２６０  ユニット端部、３００  取付部、３０１  ボルト孔、４００  吊ボルト、４０１  先端部、５００  電線、５００ａ  電源電線、５００ｂ  送り電線、５００ｃ  第１電線、５００ｄ  ハーネス、５００ｅ  第２電線、５０１，５０２  コネクタ、６００  接着剤、Ｒ１  配線領域。
【図１】
0006664152.tif 000002
【図２】
0006664152.tif 000003
【図３】
0006664152.tif 000004
【図４】
0006664152.tif 000005
【図５】
0006664152.tif 000006
【図６】
0006664152.tif 000007
【図７】
0006664152.tif 000008
【図８】
0006664152.tif 000009
【図９】
0006664152.tif 000010
【図１０】
0006664152.tif 000011
【図１１】
0006664152.tif 000012
【図１２】
0006664152.tif 000013
【図１３】
0006664152.tif 000014
【図１４】
0006664152.tif 000015
【図１５】
0006664152.tif 000016
【図１６】
0006664152.tif 000017
【図１７】
0006664152.tif 000018
【図１８】
0006664152.tif 000019
【図１９】
0006664152.tif 000020
【図２０】
0006664152.tif 000021
【図２１】
0006664152.tif 000022
【図２２】
0006664152.tif 000023
【図２３】
0006664152.tif 000024
【図２４】
0006664152.tif 000025
【図２５】
0006664152.tif 000026